【手続補正書】
【提出日】平成25年2月20日(2013.2.20)
【手続補正１】
【補正対象書類名】特許請求の範囲
【補正対象項目名】全文
【補正方法】変更
【補正の内容】
【特許請求の範囲】
【請求項１】
画像データに基づいて画像の表示を行う画像表示装置と、複数の前記画像表示装置とネットワークを介して接続されたサーバと、を含む画像表示システムであって、
前記画像表示装置は、
前記画像データに対して、前記画像データに関する属性を設定する画像属性設定手段と、
前記画像属性設定手段によって設定された前記画像データに関する属性と対応付けられた前記画像データを記憶する画像データ記憶手段と、
表示対象画像として選択された画像データの属性を集積して、前記表示対象画像の属性を設定する表示属性設定手段と、
前記表示属性設定手段によって設定された前記表示対象画像の属性を前記画像表示装置の識別情報と共に前記サーバに送信する送信手段と、
前記サーバにおいて、前記表示対象画像の属性が、他の画像表示装置における表示対象画像の属性と合致したことを通知するために前記サーバから送信された属性合致メッセージを表示するメッセージ表示手段と、
を備え、
前記サーバは、
前記画像表示装置から送信された前記表示対象画像の属性を、前記画像表示装置の識別情報と対応付けて記憶する属性データ記憶手段と、
前記属性データ記憶手段によって記憶された前記表示対象画像の属性が、他の画像表示装置における表示対象画像の属性と合致した場合に、双方の前記画像表示装置に、前記属性合致メッセージを送信するメッセージ送信手段と、
を備えることを特徴とする画像表示システム。
【請求項２】
画像データに基づいて画像の表示を行う画像表示装置と、複数の前記画像表示装置とネットワークを介して接続されたサーバと、を含む画像表示システムにおける画像表示装置であって、
前記画像データに対して、前記画像データに関する属性を設定する画像属性設定手段と、
前記画像属性設定手段によって設定された前記画像データに関する属性と対応付けられた前記画像データを記憶する画像データ記憶手段と、
表示対象画像として選択された画像データの属性を集積して、前記表示対象画像の属性を設定する表示属性設定手段と、
前記表示属性設定手段によって設定された前記表示対象画像の属性を前記画像表示装置の識別情報と共に前記サーバに送信する送信手段と、
前記サーバにおいて、前記表示対象画像の属性が、他の画像表示装置における表示対象画像の属性と合致したことを通知するために前記サーバから送信された属性合致メッセージを表示するメッセージ表示手段と、
を備えることを特徴とする画像表示装置。
【請求項３】
前記表示属性設定手段は、前記表示対象画像として選択された前記画像データにおいて、前記画像データの属性の種類毎に、前記属性の種類が設定されている前記画像データの数をカウントすることにより、前記画像データの属性を集積することを特徴とする請求項２に記載の画像表示装置。
【請求項４】
前記メッセージ表示手段は、前記属性合致メッセージによって通知された前記表示対象画像の属性が合致する他の前記画像表示装置と、前記表示対象画像の属性の合致度合いを示す情報とを表示することを特徴とする請求項２または３に記載の画像表示装置。
【請求項５】
前記メッセージ表示手段は、前記属性合致メッセージによって通知された前記表示対象画像の属性における合致の特徴を示す情報をさらに表示することを特徴とする請求項４に記載の画像表示装置。
【請求項６】
他の前記画像表示装置との通話を制御する通話制御手段をさらに備え、
前記メッセージ表示手段は、前記属性合致メッセージによって通知された前記表示対象画像の属性が合致する他の前記画像表示装置との通話を行うための指示入力を受け付ける画面表示を行い、
前記通話制御手段は、前記メッセージ表示手段が表示した前記通話を行うための指示入力に応じて、他の前記画像表示装置との通話を制御することを特徴とする請求項２から５のいずれか１項に記載の画像表示装置。
【請求項７】
前記画像属性設定手段は、ユーザの趣味あるいは嗜好に基づく分類を示すタグを設定することにより、前記画像データに関する属性を設定することを特徴とする請求項２から６のいずれか１項に記載の画像表示装置。
【請求項８】
画像データに基づいて画像の表示を行う画像表示装置と、複数の前記画像表示装置とネットワークを介して接続されたサーバと、を含む画像表示システムを構成する画像表示装置における画像表示方法であって、
前記画像データに対して、前記画像データに関する属性を設定する画像属性設定ステップと、
前記画像データと、前記画像属性設定ステップにおいて設定された前記画像データに関する属性とを対応付けて記憶する画像データ記憶ステップと、
表示対象画像として選択された画像データの属性を集積して、前記表示対象画像の属性を設定する表示属性設定ステップと、
前記表示属性設定ステップにおいて設定された前記表示対象画像の属性を前記画像表示装置の識別情報と共に前記サーバに送信する送信ステップと、
前記サーバにおいて、前記表示対象画像の属性が、他の画像表示装置における表示対象画像の属性と合致したことを通知するために前記サーバから送信された属性合致メッセージを表示するメッセージ表示ステップと、
を含むことを特徴とする画像表示方法。
【請求項９】
画像データに基づいて画像の表示を行う画像表示装置と、複数の前記画像表示装置とネットワークを介して接続されたサーバと、を含む画像表示システムにおける画像表示装置を制御するためのプログラムであって、コンピュータに、
前記画像データに対して、前記画像データに関する属性を設定する画像属性設定機能と、
表示対象画像として選択された画像データの属性を集積して、前記表示対象画像の属性を設定する表示属性設定手段と、
前記表示属性設定手段によって設定された前記表示対象画像の属性を前記画像表示装置の識別情報と共に前記サーバに送信する送信手段と、
前記サーバにおいて、前記表示対象画像の属性が、他の画像表示装置における表示対象画像の属性と合致したことを通知するために前記サーバから送信された属性合致メッセージを表示するメッセージ表示手段と、
を機能させることを特徴とするプログラム。
【請求項１０】
画像データに基づいて画像の表示を行う画像表示装置と、複数の前記画像表示装置とネットワークを介して接続されたサーバと、を含む画像表示システムにおけるサーバであって、
前記画像表示装置から送信された、表示対象画像として選択された前記画像データに設定されている前記画像データに関する属性を集積して設定された前記表示対象画像の属性を、前記画像表示装置の識別情報と対応付けて記憶する属性データ記憶手段と、
前記属性データ記憶手段によって記憶された前記表示対象画像の属性が、他の画像表示装置における表示対象画像の属性と合致した場合に、双方の前記画像表示装置に、属性合致メッセージを送信するメッセージ送信手段と、
を備えることを特徴とするサーバ。
【請求項１１】
前記メッセージ送信手段は、前記表示対象画像として選択された前記画像データにおいて、前記画像データの属性の種類毎に、前記属性の種類が設定されている前記画像データの数をカウントして得られる前記属性の種類の順位を、一の前記画像表示装置と他の前記画像表示装置とにおける前記表示対象画像の属性について比較し、前記属性の種類の順位の関係に応じて設定した値を加算することにより、一の前記画像表示装置と他の前記画像表示装置とにおける前記表示対象画像の属性の合致度合いを算出することを特徴とする請求項１０に記載のサーバ。
【請求項１２】
画像データに基づいて画像の表示を行う画像表示装置と、複数の前記画像表示装置とネットワークを介して接続されたサーバと、を含む画像表示システムを構成するサーバにおける画像表示方法であって、
前記画像表示装置から送信された、表示対象画像として選択された前記画像データに設定されている前記画像データに関する属性を集積して設定された前記表示対象画像の属性を、前記画像表示装置の識別情報と対応付けて記憶する属性データ記憶ステップと、
前記属性データ記憶ステップによって記憶された前記表示対象画像の属性が、他の画像表示装置における表示対象画像の属性と合致した場合に、双方の前記画像表示装置に、属性合致メッセージを送信するメッセージ送信ステップと、
を含むことを特徴とする画像表示方法。
【請求項１３】
画像データに基づいて画像の表示を行う画像表示装置と、複数の前記画像表示装置とネットワークを介して接続されたサーバと、を含む画像表示システムにおけるサーバを制御するためのプログラムであって、コンピュータに、
前記画像表示装置から送信された、表示対象画像として選択された前記画像データに設定されている前記画像データに関する属性を集積して設定された前記表示対象画像の属性を、前記画像表示装置の識別情報と対応付けて記憶する属性データ記憶手段と、
前記属性データ記憶手段によって記憶された前記表示対象画像の属性が、他の画像表示装置における表示対象画像の属性と合致した場合に、双方の前記画像表示装置に、属性合致メッセージを送信するメッセージ送信手段と、
を機能させることを特徴とするプログラム。
【手続補正２】
【補正対象書類名】明細書
【補正対象項目名】０００７
【補正方法】変更
【補正の内容】
【０００７】
上記目的を達成するため、本発明の一態様の画像表示システムは、
画像データに基づいて画像の表示を行う画像表示装置と、複数の前記画像表示装置とネットワークを介して接続されたサーバと、を含む画像表示システムであって、
前記画像表示装置は、
前記画像データに対して、前記画像データに関する属性を設定する画像属性設定手段と、
前記画像属性設定手段によって設定された前記画像データに関する属性と対応付けられた前記画像データを記憶する画像データ記憶手段と、
表示対象画像として選択された画像データの属性を集積して、前記表示対象画像の属性を設定する表示属性設定手段と、
前記表示属性設定手段によって設定された前記表示対象画像の属性を前記画像表示装置の識別情報と共に前記サーバに送信する送信手段と、
前記サーバにおいて、前記表示対象画像の属性が、他の画像表示装置における表示対象画像の属性と合致したことを通知するために前記サーバから送信された属性合致メッセージを表示するメッセージ表示手段と、
を備え、
前記サーバは、
前記画像表示装置から送信された前記表示対象画像の属性を、前記画像表示装置の識別情報と対応付けて記憶する属性データ記憶手段と、
前記属性データ記憶手段によって記憶された前記表示対象画像の属性が、他の画像表示装置における表示対象画像の属性と合致した場合に、双方の前記画像表示装置に、前記属性合致メッセージを送信するメッセージ送信手段と、
を備えることを特徴とする。